(57)【特許請求の範囲】
【請求項１】
胴部に複数の凹溝による補強リブを設けた樹脂容器であって、
前記複数の凹溝は、水平方向に対して１５〜７５度の角度で傾斜して形成されており、
前記複数の凹溝は、各々最も低い中央部分で折れ曲がった一対の折れ曲がり溝によって構成されると共に、各折れ曲がり溝は、斜め上方に向かって両側に延設することにより、水平方向に対して１５〜７５度の角度で傾斜しており、
前記複数の凹溝の折れ曲がった中央部分には、各凹溝と交差して鉛直方向に延設された縦凹溝が設けられており、前記各折れ曲がり溝の下流側端部は、前記縦凹溝に接続しており、前記縦凹溝の上端部分及び下端部分は、溝の深さが徐々に浅くなっている樹脂容器。
【請求項２】
前記凹溝は、その最下流部分において、前記胴部の外周面に擦り付けられて該外周面に開放されている請求項１記載の樹脂容器。
【請求項３】
前記凹溝による補強リブは、その横断面形状の下辺部分が外側下方に傾斜するテーパーリブとなっている請求項１又は２に記載の樹脂容器。
【請求項４】
前記胴部には前記凹溝の補強リブを覆って通気性プラスチックフィルムからなるラベルが取り付けられている請求項１〜３のいずれかに記載の樹脂容器。
【発明の詳細な説明】
【０００１】
【発明の属する技術分野】
本発明は、樹脂容器に関し、特に、胴部に形成された凹溝による補強リブによって補強された水廻りにおいて使用される樹脂容器に関する。
【０００２】
【従来の技術及び発明が解決しようとする課題】
各種の洗剤や化粧品、食品等を収容するポリプロピレンやポリエチレン等の樹脂からなる樹脂容器は、環境への対応やリサイクルのし易さ等を鑑みて、好ましくは樹脂量の少ない薄肉容器が用いられている。またこのような薄肉樹脂容器として、肉厚を薄くしたことによる強度の低下を補うために、容器の胴部に凹溝や凸条による補強リブを設けたものが知られている。
【０００３】
一方、補強リブにより補強された薄肉樹脂容器を、シャンプーやリンス、ボディーソープ等を収容する容器として、浴室等の湿気の多い水廻りにおいて用いる場合には、補強リブを構成する凹溝に水が滞留し易く、かびの発生等による汚れによって、清潔感や美観を損なう場合があった。
【０００４】
本発明は、水廻りに使用する際に、胴部に形成された凹溝による補強リブから水を速やかに排除して、かびの発生等による汚れが生じるのを効果的に回避することのできる薄肉樹脂容器の提供を目的とする。
【０００５】
【課題を解決するための手段】
本発明は、胴部に複数の凹溝による補強リブを設けた樹脂容器であって、前記複数の凹溝は、水平方向に対して１５〜７５度の角度で傾斜して形成されており、前記複数の凹溝は、各々最も低い中央部分で折れ曲がった一対の折れ曲がり溝によって構成されると共に、各折れ曲がり溝は、斜め上方に向かって両側に延設することにより、水平方向に対して１５〜７５度の角度で傾斜しており、前記複数の凹溝の折れ曲がった中央部分には、各凹溝と交差して鉛直方向に延設された縦凹溝が設けられており、前記各折れ曲がり溝の下流側端部は、前記縦凹溝に接続しており、前記縦凹溝の上端部分及び下端部分は、溝の深さが徐々に浅くなっている樹脂容器を提供することにより、上記目的を達成したものである。
【０００６】
上記記載における凹溝は、胴部の外周面を溝状にへこませて形成された凹溝の他、胴部の外周面から外側に突出する凸条を補強リブとして設けた際の当該凸条に挟まれて形成される凹溝をも含むものである。
【０００７】
【発明の実施の形態】
図１は、後述する本発明の好ましい一実施形態に係る薄肉樹脂容器２１の構成を説明するための薄肉樹脂容器１０を参考例として示している。図１に示す薄肉樹脂容器１０は、例えばシャンプーやリンス、ボディーソープ等の液体化粧料を収容し、浴室等の水廻りにおいて使用する容器である。この薄肉樹脂容器１０は、例えばポリエチレン，ポリプロピレン等のポリオレフィン樹脂からなり、内容量が６００〜７００ｍＬ程度、樹脂量が１〜７ｇ／１００ｍＬ程度のダイレクトブロー成形等のブロー成形により成形される。薄肉樹脂容器１０の口頸部１７には、キャップやポンプディスペン サー等が着脱可能に装着される。−
【０００８】
図１に示す薄肉樹脂容器１０は、肉厚を薄くしたことによる強度の低下を補うために、胴部１１の外周面を溝状にへこませて複数形成された凹溝１２による補強リブ１３を設けることによって補強されている。これらの凹溝１２は、水平方向に対して４５度の角度で傾斜し、互いに平行に延設した状態で形成されている。また各凹溝１２は、その深さが最も深い延設方向中央部分において、図２（ａ）及び（ｂ）示すように、例えば深さｄ＝２．５ｍｍ、幅ｂ＝６ｍｍ程度の矩形断面形状を有すると共に、その傾斜する延設方向の最上流部分及び最下流部分において溝の深さが徐々に浅くなり、胴部１１の外周面と面一になるように擦りつけられて、各凹溝１２は当該外周面に開放されている。
【０００９】
なお、本発明によれば、各凹溝は、水平方向に対して、１５〜７５度の角度で傾斜させるものであり、また３０〜６０度の角度で傾斜させることが好ましい。１５〜７５度の角度で傾斜させることにより、リブに水を滞留させにくくして凹溝から水を排出しやすくできると共に、容器１０の内部が減圧されても胴部１１を変形させにくくすることができる。また、各凹溝の水平方向に対する角度を３０〜６０度とすることにより、水を滞留させにくく、かつ減圧変形させにくくする機能をさらに効果的に発揮させることができる。
【００１０】
図１に示す薄肉樹脂容器１０によれば、複数の凹溝１２による補強リブ１３によって補強された部分を覆って、通気性プラスチックフィルムからなる巻きラベル１４が、胴部１１の全周に亘って取り付けられている。また、この巻きラベル１４の取り付け部位１９を挟んだ上方部及び下方部には、上方段差部１５及び下方段差部１６が各々設けられ、取り付けられた巻きラベル１４が胴部１１の外周面に沿って上下方向にずれるのを防止している。
【００１１】
ここで、巻きラベル１４を構成する通気性プラスチックフィルムとしては、公知の例えば熱針法や溶融法によって、水蒸気は通過させるが水は通過させない程度の大きさの孔が多数形成された、透湿性・通気性を有する各種の有孔プラスチックフィルムを用いることができる。これらの有孔プラスチックフィルムは、例えばポリエチレン、ポリプロピレン、ポリ塩化ビニル、ポリエステル等の熱可塑性プラスチックから得ることができる。通気性プラスチックフィルムによる巻きラベル１４を、胴部１１の補強リブ１３によって補強された部分を覆って取り付けることにより、補強リブ１３を覆い隠して薄肉樹脂容器１０の美観を向上させることができると共に、凹溝１２に付着する水分を巻きラベル１４を通過させつつ水蒸気として揮散させることにより、凹溝１２に残った水分を速やかに排除することが可能になる。
【００１２】
また、図２（ａ）及び（ｂ）に示すように、上方段差部１５は、薄肉樹脂容器１０の肩部１８の下端部を庇状にＬ＝１．５〜２ｍｍ程度の突出量で外側に張り出した後に、胴部１１の巻きラベル取り付け部位１９の外周面と接続している。これによって、上方から肩部１８に沿って滑り落ちてくる水滴を、巻きラベル取り付け部位１９の外周面に回り込ませることなく水切りしつつ下方に落下させることにより、凹溝１２に流れ込む水の量を減少させることが可能になる。また、図２（ｂ）の破線で示すように、肩部１８’の下端部の庇状部分を外側に湾曲させて構成することにより、肩部１８’に沿って滑り落ちてくる水滴の水切り作用をさらに効果的に発揮させることが可能になる。
【００１３】
そして、図１に示す薄肉樹脂容器１０によれば、胴部１１に形成された凹溝１２による補強リブ１３から水を速やかに排除して、かびの発生等による汚れが生じるのを効果的に回避することができる。すなわち、図１に示す薄肉樹脂容器１０によれば、補強リブ１３を構成する凹溝１２は、水平方向に対して４５度の角度で傾斜しているので、例えば胴部１１の巻きラベル取り付け部位１９の外周面と巻きラベル１４との間の隙間等を介して凹溝１２に水が侵入しても、この水は、その重力により凹溝１２に沿って下方に流下し、凹溝１２の最下流部分で胴部１１の外周面に開放された後に、さらに胴部１１の外周面に沿って下方に流下することにより速やかに排除される。したがって、図１に示す薄肉樹脂容器１０によれば、凹溝１２に水を長時間滞留させることがなく、かびの発生等による汚れを効果的に防止して、清潔感や美観を保持することが可能になる。
【００１４】
また、図１に示す薄肉樹脂容器１０によれば、図２（ｃ）に示すように、凹溝１２’による補強リブを、その横断面形状の下辺部分２０が外側下方に傾斜するテーパーリブ１３’とすることができる。これによって、凹溝１２’に滞留しようとする水を、傾斜する凹溝１２’に沿って周方向に流下させるだけでなく、外側下方に傾斜する下辺部分２０を介して、凹溝１２’を縦方向に横断させつつ巻きラベル取り付け部位１９の外周面に沿って直接下方に流下させることができ、これによって凹溝１２’の水をさらに速やかに排除することが可能になる。
【００１５】
図３は、本発明の好ましい一実施形態に係る薄肉樹脂容器２１を示すものである。本実施形態の薄肉樹脂容器２１は、以下の構成を除いて、図１に示す薄肉樹脂容器１０と略同様の構成を備える。すなわち、本実施形態の薄肉樹脂容器２１では、補強リブとしての複数の凹溝２２は、各々最も低い中央部分で折れ曲がった一対の折れ曲がり溝２３によって構成されると共に、各折れ曲がり溝２３は斜め上方に向かって両側に延設することにより、水平方向に対して３０度の角度で傾斜している。また、凹溝２２の折れ曲がった中央部分には、各凹溝２２と交差して鉛直方向に延設された縦凹溝２４が設けられており、各折れ曲がり溝２３の下流側端部は、この縦凹溝２４に接続している。この縦凹溝２４の上端部分及び下端部分は、溝の深さが徐々に浅くなり、胴部１１の外周面と面一になるように擦りつけられることにより当該外周面に開放されている。これによって、各凹溝２２を構成する折れ曲がり溝２３の最下流部分は、縦凹溝２４の下端部分を介して胴部１１の外周面と面一に擦りつけられることになる。
【００１６】
本実施形態の薄肉樹脂容器２１によれば、凹溝２２に水が侵入しても、この水は、その重力により各折れ曲がり溝２３及びこれらと接続する縦凹溝２４を介して下方に流下して、速やかに排除される。したがって、本実施形態によっても、凹溝２２に水を長時間滞留させることがなく、かびの発生等による汚れを効果的に防止して、図１に示す薄肉樹脂容器１０と略同様の作用効果を奏することになる。
【００１７】
なお、本発明は、上記実施形態に限定されることなく種々の変更が可能である。例えば、本発明の樹脂容器は、補強リブを覆って通気性プラスチックフィルムからなるラベルを胴部に取り付けて用いる必要は必ずしもなく、また、水平方向に対して傾斜する凹溝は、湾曲しながら傾斜するものであっても良い。
【００１８】
【発明の効果】
本発明の樹脂容器によれば、水廻りに使用する際に、胴部に形成された凹溝による補強リブから水を速やかに排除して、かびの発生等による汚れが生じるのを効果的に回避することができる。
【図面の簡単な説明】
【図１】  参考例の薄肉樹脂容器を説明する斜視図である。
【図２】  （ａ）は、図１のＡ−Ａに沿った断面図、（ｂ）は、（ａ）のＢ部拡大図、（ｃ）は、凹溝の変形例を説明する部分拡大断面図である。
【図３】  本発明の好ましい一実施形態に係る薄肉樹脂容器を説明する斜視図である。
【符号の説明】
１０，２１  薄肉樹脂容器
１１  胴部
１２，２２  凹溝
１３  補強リブ
１４  巻きラベル
１５  上方段差部
１６  下方段差部
１７  口頸部
１８  肩部
１９  巻きラベル取り付け部位
２０  下辺部分
２３  折れ曲がり溝
２４  縦凹溝
【図１】
0004439134.tif 000002
【図２】
0004439134.tif 000003
【図３】
0004439134.tif 000004